(57)【要約】【課題】ヘッドサポートの調節に関して改良された治療椅子を提供する。【解決手段】本発明は、医科または歯科治療椅子（１）に関し、シート部材（２）、バック部材（４）、バック部材（４）に設けられたヘッドサポートキャリア（１２）、および、バック部材（４）に対して調節可能なヘッドサポート（８）を有する。調節に関する改良を達成するために、ヘッドサポートクッション（３３）からバックレストクッション（４ｃ）へ整列して移行するように、あるいは、ヘッドサポートクッション（３３）がバックレストクッション（４ｃ）に対して１８０°以上の角度をもつようにヘッドサポート（８）の設定が選択的にされる調節装置（１６）が備わっている。
2004526503.tif 000002
【特許請求の範囲】
【請求項１】
シート部材（２）と、
バック部材（４）と、
前記バック部材（４）に配置されたヘッドサポートキャリア（１２）と、
前記バック部材（４）に対して調節可能なヘッドサポート（８）とを有する医科または歯科治療椅子であって、
ヘッドサポートクッション（３３）からバックレストクッション（４ｃ）へ整列して移行するように、あるいは、ヘッドサポートクッション（３３）がバックレストクッション（４ｃ）に対して１８０°以上の角度をもつように前記ヘッドサポート（８）の設定が選択的になされる調節装置（１６）
を有することを特徴とする医科または歯科治療椅子。
【請求項２】
前記調節装置（１６）は、前記キャリア（１２）と前記ヘッドサポート（８）との間に第１の旋回装置（１９）を有し、この旋回装置は好適には４本のバーのリンク結合体により構成されていることを特徴とする
請求項１に記載の治療椅子。
【請求項３】
前記調節装置（１６）は、第２の旋回装置（４１ａ）を有し、この旋回装置は前記第１の旋回装置（１９）と前記ヘッドサポート（８）との間で作動することを特徴とする
請求項２に記載の治療椅子。
【請求項４】
前記調節装置（１６）は、前記選択的な設定に関して、手動調節可能であり、あるいは、前記第２の旋回装置（４１ａ）は手動調節可能であることを特徴とする
請求項１〜３のいずれかに記載の治療椅子。
【請求項５】
前記４本のバーのリンク結合体は、２つのジョイントバー（１９ａ，１９ｂ）をもち、これらはヘッドサポート（８）にジョイント（２３，２４）によって接続され、
前記第２の旋回装置（４１ａ）の旋回軸は前記２つのジョイント（２３，２４）の一方によって構成され、かつ、他方のジョイント（２３，２４）に自由路が形成され、
この自由路は、前記旋回軸の周りの旋回を可能にし、この自由路内において、前記第２の旋回装置（４１ａ）はロッキング装置（４２）によって少なくとも旋回終端位置において旋回に対してロック可能であることを特徴とする
請求項２〜４のいずれかに記載の治療椅子。
【請求項６】
前記自由路は、湾曲した長穴（４３）によって構成され、
前記ロッキング装置（４２）は、前記長穴（４３）内で移動可能なジョイントボルト（２３ａ）によって構成され、
このジョイントボルトは少なくとも前記長穴（４３）の両端部領域においてロック可能であることを特徴とする
請求項５に記載の治療椅子。
【請求項７】
前記長穴（４３）は、少なくともその両端部において、縦方向の穴拡張部（４３ａ，４３ｂ）を有し、この拡張部え前記ジョイントボルト（２３ａ）が軸方向の変位によって、好適には、ばね（４４）の力に抗して移動可能であることを特徴とする
請求項６に記載の治療椅子。
【請求項８】
シート部材（２）と、
バック部材（４）と、
前記バック部材（４）に配置されたキャリア（１２）と、
ヘッドサポート面（３３ａ）を有し、前記バック部材（４）に対して調節可能なヘッドサポート（８）とを有し、
前記ヘッドサポート面（３３ａ）は、シェル形状に形成され、前記ヘッドサポート（８）の一端部において縦方向の断面で終端し、この断面は実質的に直線状に伸びており、
前記ヘッドサポート面（３３ａ）は、前記ヘッドサポート（８）の反対側の端部に配置された横バルジ（３５）に移り変わっており、
前記ヘッドサポート（８）は、互いに１８０°オフセットした２つの姿勢に調節されることを特徴とする
医科または歯科治療椅子。
【請求項９】
前記ヘッドサポート（８）は、ヘッドサポートクッション（３３）を有しており、このヘッドサポートクッション（３３）は、ベースボディ（９）に保持され、当該ベースボディ（９）に対して調節可能であることを特徴とする
請求項８に記載の治療椅子。
【請求項１０】
前記ヘッドサポートクッション（３３）は、互いに１８０°オフセットした姿勢において、手動で解放されるクランプあるいはラッチ装置によって前記ベースボディ（９）に解放可能に接続されることを特徴とする
請求項９に記載の治療椅子。
【請求項１１】
前記横バルジ（３５）には、シェル状のヘッドサポート面（３３ａ）と直線状に整列される前記シェル状のネックサポート面（４３ｂ）が形成されていることを特徴とする
請求項８〜１０のいずれかに記載の治療椅子。
【請求項１２】
前記キャリア（１２）は、縦方向に変位可能に前記バック部材（４）の縦方向ガイド（１１）に設けられており、キャリアセッティング装置（４６）によって変位可能であり、
前記ヘッドサポート（８）は、調節装置（１６）によって治療椅子（１）の垂直縦平面内で旋回可能に前記キャリア（１２）に接続されており、かつ、ヘッドサポートセッティング装置（３２）によって旋回可能であり、
前記キャリアセッティング装置（４６）およびヘッドサポートセッティング装置（３２）はそれら自身に各調節モータ（Ｍ２，Ｍ３）を有することを特徴とする
請求項１〜１１のいずれかに記載の治療椅子。
【請求項１３】
シート部材（２）と、
バック部材（４）と、
ヘッドサポート（８）と、
ヘッドサポートキャリア（１２）とを有し、
前記ヘッドサポートキャリア（１２）は、縦方向に変位可能に前記バック部材（４）の縦ガイド（１１）に設けられており、キャリアセッティング装置（４６）によって変位可能であり、
前記ヘッドサポート（８）は治療椅子（１）の垂直縦方向平面内で旋回可能に調節装置（１６）によて前記キャリア（１２）に接続されており、かつ、ヘッドサポートセッティング装置（３２）によって旋回可能であり、
前記キャリアセッティング装置（４６）および前記ヘッドサポートセッティング装置（３２）はそれら自身に各調節モータ（Ｍ２，Ｍ３）を有することを特徴とする
医科または歯科治療椅子。
【請求項１４】
前記調節モータ（Ｍ２，Ｍ３）は、電動モータを備えており、好適には、各ケースの駆動接続において前記電動モータの前に伝達装置（Ｇ２，Ｇ３）が配置され、好適にはスピンドルドライブが配置されることを特徴とする
請求項１２または１３に記載の治療椅子。
【請求項１５】
前記ヘッドサポートセッティング装置（３２）のための前記調節モータ（Ｍ３）は、前記キャリア（１２）に配置され、あるいは、キャリア（１２）に一体化されており、好適には、特に、平坦なスライダとして構成された前記キャリア（１２）の凹部（１２ａ）内に少なくとも部分的に沈んで配置されていることを特徴とする
請求項１２〜１４のいずれかに記載の治療椅子。
【請求項１６】
前記ヘッドサポートセッティング装置（３２）のための前記調節モータ（Ｍ３）は、前記キャリア（１２）上で縦方向にガイドされたドライブロッド（２６）によって直接的にまたは間接的に前記調節装置（１６）に接続されていることを特徴とする
請求項１２〜１５のいずれかに記載の治療椅子。
【請求項１７】
前記調節装置（１６）は、４本のバーのリンク結合体（４本バーの機構）によって構成されていることを特徴とする
請求項１〜１６のいずれかに記載の治療椅子。
【請求項１８】
前記ジョイント（２１，２２，２３，２４）の互いの間隔（Ｌ３，Ｌ４，Ｌ５，Ｌ６）は、変化しないことを特徴とする
請求項１７に記載の治療椅子。
【請求項１９】
前記バックレスト（４）に向かうジョイントバー（１９ｂ）の長さ（Ｌ３）は、前記バックレスト（４）から離れたジョイントバー（１９ａ）のい長さ（Ｌ４）よりも大きいことを特徴とする
請求項１７または１８に記載の治療椅子。
【請求項２０】
作動部材（５２，ｂ５）が備わり、前記作動部材の手動による作動時に、前記調節装置（１６）あるいは自動制御の場合に前記キャリアセッティング装置（４６）が前記ヘッドサポート（８）を特定姿勢へ移動させ、あるいは、手動による制御の場合には、特定姿勢で停止させ、この姿勢において、ヘッドサポートクッション（３２）からバックレストクッション（４ｃ）へ整列して移行する（子供用姿勢）、あるいは、前記ヘッドサポートクッション（３３）が前記バックレストクッション（４ｃ）に対して１８０°以上の角度をもつことを特徴とする
請求項１〜１９のいずれかに記載の治療椅子。
【請求項２１】
作動部材（５２，Ｂ５）が備わり、前記作動部材の手動による作動時に、前記調節装置（１６）あるいは自動制御の場合に前記キャリアセッティング装置（４６）が前記ヘッドサポート（８）を前記バックレスト（４）の上に突き出した姿勢へ移動させ、手動による制御の場合には、この姿勢で動きを停止させることを特徴とする
請求項１〜２０のいずれかに記載の治療椅子。
【請求項２２】
前記バック部材（４）は、バックレストベース部材（４ａ）とバックレスト部材（４ｂ）とから構成され、前記バックレスト部材（４ｂ）は、前記ベース部材（４ａ）上の縦方向ガイドに変位可能に案内されており、セッティング装置（７）によって変位可能であることを特徴とする
請求項１〜２１のいずれかに記載の治療椅子。
【請求項２３】
前記ヘッドサポートキャリア（１２）および／または前記バックレスト部材（４ｂ）は、２つの横方向に配置されたガイドロッド（６ａ，１１ａ，１１ｂ）および変位可能なガイドスリーブ（１１ｃ，１１ｄ）によってそれぞれガイドされていることを特徴とする
請求項１〜２２のいずれかに記載の治療椅子。
【請求項２４】
少なくとも一のガイドスリーブ（６ｂ，１１ｄ）および関連するガイドロッド（１１ｂ）は相互にかみ合うねじ山を有し、スピンドルドライブを構成していることを特徴とする
請求項２３に記載の治療椅子。
【請求項２５】
前記バックレスト部材（４ｂ）のための前記調節モータ（Ｍ１）および／または前記キャリア（１２）のための調節モータ（Ｍ３）は、ガイドロッド（６ａ，１１ａ，１１ｂ）の隣、特定的にはガイドロッドの横方向の隣に配置され、縦方向に向けられていることを特徴とする
請求項２３または２４に記載の治療椅子。
【請求項２６】
ベース面から突き出たスイッチング部材５２を有し、このスイッチング部材５２は少なくとも一側面に動作面（Ｂ１〜Ｂ４）を有し、
前記ベース面は、前記スイッチング部材（５２）の少なくとも前記一側面にガイドトポグラフィ（６１）をもち、このガイドトポグラフィ（６１）は、操作者の接触する指を前記動作面（Ｂ１〜Ｂ４）へ案内するのに適していることを特徴とする
医科または歯科治療椅子のためのスイッチング装置。
【請求項２７】
前記ガイドトポグラフィ（６１）は、前記動作面まで伸びる溝状のガイド面（６１ａ）を有することを特徴とする
請求項２６に記載のスイッチング装置。
【請求項２８】
前記ガイド面（６１ａ）は、前記動作面（Ｂ１，Ｂ２，Ｂ３，Ｂ４）へ向かう方向から見たとき、凹状、特定的には、丸く形成されていることを特徴とする
請求項２７に記載のスイッチング装置。
【請求項２９】
前記ガイド面（６１ａ）は、前記ベース面の中へ沈んでいることを特徴とする
請求項２７または２８に記載のスイッチング装置。
【請求項３０】
前記ガイドトポグラフィ（６１）または前記ガイド面（６１ａ）は、スイッチング部材（５２）の中央軸に対して、前記ベース面に向かう向きに閉じている鋭角をもつことを特徴とする
請求項２６〜２９のいずれかに記載のスイッチング装置。
【請求項３１】
前記スイッチング部材（５２）は、さらなる動作面（Ｂ５）をその自由端面にもち、単一または２重の作動（ダブルクリックの意味）に基づいて、各々のスイッチング機能が実行されることを特徴とする
請求項２６〜３０のいずれかに記載のスイッチング装置。
【請求項３２】
ヘッドサポート（８）の傾斜調節のための前記スイッチング部材（５２）の水平作動と、ヘッドサポート（８）の高さ調節のための前記スイッチング部材（５２）の垂直作動とが備わることを特徴とする
請求項２６〜３１のいずれかに記載のスイッチング装置。
【発明の詳細な説明】
【技術分野】
【０００１】
本発明は、請求項１の前置部分に記載のヘッドサポートを有する医科または歯科治療椅子に関する。
【背景技術】
【０００２】
この種の治療椅子は、たとえば、特許文献１に記述されている。公知の治療椅子に関して、ヘッドサポートは、治療されるべき患者の頭部を安定的に支持するのに適した複数の姿勢に調節可能である。その結果、スムーズな治療が保証される。これらの姿勢において、治療される人体の解剖学的な形状を考慮して、ヘッドサポートは患者の背部の面と頭部の面との間の姿勢の違いを補償する。
【特許文献１】
独国実用新案出願公開第２９６２０８０１Ｕ１号
【発明の開示】
【発明が解決しようとする課題】
【０００３】
ヘッドサポートの姿勢は、治療される人体の解剖学的な形態と治療の種類を考慮して決定されるべきである。すなわち、治療の種類に依存して、患者の頭部の特定的な位置決めおよびヘッドサポートの姿勢のマッチングが必要とされる。
【課題を解決するための手段】
【０００４】
本発明の目的は、ヘッドサポートの調節に関して導入部において示された種類の治療椅子を改良することにある。特に、このヘッドサポートは少なくとも一つの付加したサポート機能を果たす。
この目的は、請求項１の特徴によって達成される。本発明の有利な展開は、従属請求項に示されている。
請求項１に記載の本発明の治療椅子に関して、ヘッドサポートは選択的に複数の姿勢へ調節可能となっている。これらの姿勢は、一方ではバックレストクッションと一直線に整列され、他方では鈍角を有する。このことは、少なくとも一つの付加したサポート機能を可能にする。すなわち、バックレストクッションの拡張である。これらの手段によって、ヘッドサポートの調節範囲は単に拡張されるだけでない。整列された姿勢おけるヘッドサポートは、口腔の好ましい姿勢を得るために、特に、歯科治療椅子において患者の口腔における狭く多様な治療によって生じる特別な配置における治療を可能とする。これは、大人の治療と子供の治療にも適用される。
さらに、特に、整列された姿勢おけるヘッドサポートがバック部材に対して押し上げられた場合、好適には、ヘッドサポートが当該ヘッドサポートに向かうバック部材の端部に位置する凹部の中へ押し込まれた場合には、整列された姿勢おけるヘッドサポートは、特に子供に適した都合の良い子供用姿勢を可能にする。
【０００５】
本発明の目的は、請求項８に係る構成によっても達成される。本発明の有利な展開は、関連する従属請求項に示されている。
この構成は、複数の姿勢に調節可能にしている。これらの姿勢においては、ヘッドサポートの面が異なる高さをもち、特定の頭部の姿勢に適しているだけでなく、ヘッドサポートの横バルジがバック部材に向かうヘッドサポートの端部に配置される姿勢においてヘッドサポートがネックサポートとしても適している。これにより、患者の頭部は付加されかつ改良されたサポートを受ける。
ヘッドサポート、あるいは、少なくともそのクッションの姿勢は、前の姿勢に関して１８０°だけ回転される。このことは、子供に都合良く適しており、特に、上記した子供用の配置に適している。
ヘッドサポートの調節は、簡易で迅速な手段で達成される。この手段では、ヘッドサポート、あるいは、少なくともそのクッションがクイック−ファスニング接続(quick-fastening connection)によって解放可能に接続される。このクイック−ファスニング接続は、特定的には、クランピング装置あるいはラッチング装置の形態を有する。これらの手段によって、ヘッドサポートの調節および装着のために、ヘッドサポートあるいは少なくともそのクッションを解放することが可能である。クランピング装置またはラッチング装置は、手動で外すことができ、特に、クイックファスニング接続に適している。このような構造は、安価にかつ高品質に製造でき、敏速で手際よい調節による信頼性のある装着を保証する。
ここに関係する種類の治療椅子のヘッドサポートを患者および治療を行う人にとって好ましい位置に調節するために、手動またはモータで動くセッティング装置が既に提案されている。このようなセッティング装置は、複数の要求に合致しなければならない。一つには、セッティング装置は、簡単で、迅速に作動し、目的に合致したセッティングを可能にしなければならない。このセッティングは、患者の人体を考慮し、さらに、たとえば、体のサイズ、首の長さ、頭の形等の人体の重要な特徴が異なることがあることを考慮する。また、治療椅子のバックレスト／ヘッドサポート領域において、可能な限り簡易な方法で統合するために、セッティング装置は小型で簡易な構造からなるべきである。さらにまた、市場における成算を改善するためには、製造コストも下げなければならない。
【０００６】
ヘッドサポートの非常に複雑な動きを可能にするために、ヘッドサポートの動きを利用することが既に提案されており、この動きは、たとえば、カムドライブ等の駆動によってヘッドサポートとバックレストとの間の間隔を変化させ、ヘッドサポートの特定の傾斜姿勢を生じさせる。このような構成は、複雑な構造からなり、かつ、駆動または制御のために広範な投資を要し、これによって、安定性も影響を受ける。しかながら、このことは、回避されなければならない。
【０００７】
本発明のさらなる目的は、簡素な、あるいは、目的にかなった動きの経路を確保する一方で、ヘッドサポートの目的にかなった設定が可能であり、特に、ヘッドサポートのバックレストに対する間隔および／または傾斜の設定が可能であることを考慮の下にこの種の治療椅子を構成することにある。
【０００８】
この目的は、請求項１２の特徴によって達成される。本発明の有利な展開は関連する従属請求項に示されている。
【０００９】
請求項１２に記載の構成は、簡素で小型である構造を可能にし、とりわけ、バックレストのフラットな中空空間の中へ都合良く一体化することができ、さらに、ヘッドサポートの目的にかなった調節、特に、傾斜の調節を可能にする。後者は、ヘッドサポートの傾斜の調節のためにドライブモータが備わっていることで確保され、このモータはこの機能のみ実行する。これによって、ヘッドサポートの傾斜の調節のためのドライブモータをバックレストに対するヘッドサポートの高さまたは間隔の調節のためのドライブモータと同時に作動させることができ、あるいは、これらを独立に駆動することができるように、治療椅子および関連する電気制御装置を簡単な方法で構成することが可能になる。
同時調節の場合には、ヘッドサポートの結果的な動きが人体の解剖学上の頭部の動きに適合する、あるいは、それらに近づくように動きを選択することが有利である。これらの手段によって、患者の頭部がヘッドサポート上にあるときの快適さが改善され、首部の領域におけるクランピングが回避され、これは頭部を支持するすべての動きについて可能な限り行われる。
【００１０】
ヘッドサポートの十分に簡素な動きの制御は、ヘッドサポートキャリアに４本バーメカニズムあるいは４本バーリンク結合体によって接続された場合に達成される。バックレスト内に統合された、したがって、バックレストに収容されたドライブ装置によって、簡素にかつ目的にかなうように、駆動が調節され、所望の調節された姿勢に位置決めすることができる。
【００１１】
患者の治療へ注意を向けることは治療椅子の操作者の重要な職務である。このことは、治療を実行する操作者とアシスタントとしての操作者の双方に当てはまる。したがって、治療椅子の操作方法が操作者の注意にできるだけ影響を与えないことが必要である。
【００１２】
本発明は、医科または歯科治療装置におけるスイッチング処理を実行するスイッチング装置であって、特に、スイッチング処理によって簡単で迅速な実行を可能にする治療椅子を得る目的をさらに有する。
【００１３】
この目的は、請求項２１の特徴によって達成される。本発明の有利な展開は、関連する従属請求項に示される。
【００１４】
本発明の請求項２１に記載された構成において、スイッチング装置は、関連するスイッチング部材の一または二以上の動作面について、各場合において、ガイドトポグラフィーと関係を有する。これにより、操作する手の指がガイドを利用することを可能にする。指の接触によって認識できるガイドはガイド面へ指を案内する。これにより、操作する者は、スイッチング処理を実行するための注意の程度をそれほど高くする必要がなく、したがって、患者の治療のために注意を大きく向けることができる。このガイドの結果、操作者は、スイッチング装置を見ないで、所望のスイッチング処理を実行することができる。
【００１５】
本発明に係るこの構成は、特に簡素な構成によってこれ自身を特徴付けており、簡易な方法で大きな利益を導くことができる。ガイドトポグラフィーがベース面内のガイド溝によって構成され、スイッチング部材がベース面から起立している場合に、好ましいガイドだけでなく、少なくとも部分的に沈んだスイッチング部材の配置が有利な方法で備わっており、その結果、操作する手の他の動きによる誤った動作が確実に防がれる。したがって、本発明に係る構成は、治療椅子の操作の安全性の改善も導く。
【発明を実施するための最良の形態】
【００１６】
以下、本発明を好適な実施形態と図面を参照してより詳細に記述する。
全体が１で示された治療椅子の主要部品であって、延長されたレッグサポート３をもつシート部材２、バック部材４あるいはバックレスト４、およびヘッドサポート８である。バック部材４あるいはバックレスト４は、治療椅子１の横断方向に延びる水平ジョイント軸５ａをもつバックレストジョイント５と図示しない調節用モータをもつセッティング装置７とによってシート部材２に接続されており、ジョイント軸５ａの周りで起立座姿勢と伏姿勢との間で調節可能となっており、各場合の調節された姿勢に固定することができる。ヘッドサポート８のベースボディ９は、旋回装置の形で調節装置１６によって延長されたヘッドサポートキャリア１２と接続されており、このヘッドサポートキャリアはバックレスト４に保持されている。さらに、治療椅子１は、一またはそれ以上の治療器具１３と関連付けられている。この治療器具１３は可撓性の供給管１４によって少なくとも一の供給装置１０と接続されており、保管容器における保管位置と治療椅子に座った患者における治療位置との間で移動可能となっている。
【００１７】
特定的には、歯科治療椅子１は、洗浄用コップのためのタップと痰坪をもつ口内洗浄装置１５をさらに備えている。
【００１８】
バックレスト４は、バックベース部材４ａおよびバックレスト部材４ｂからなり、バックベース部材４ａはバックレストジョイント５にジョイント部材５ｂによって連結されており、バックレスト部材４ｂは好適にはシェル形状のバックレストクッション４ｃによって占められている。バックベース部材４ａとバックレスト部材４ｂとの間では、概略的に図解されたガイド６が構成されている。このガイド６は、バックベース部材４ａ上のバックレスト部材４ｂの縦方向の前後に移動可能に装着されている。このガイドは、治療椅子１の縦方向の中央平面に関して２つの側に縦方向に配置されている２本のガイドロッド６ａと、ガイドロッド６ａ上に移動可能に設けられ、バックベース部材４ａとバックレスト部材４ｂとの間に配置されたガイドスリーブ６ｂによって形成されている。ガイドスリーブ６ｂは、バックベース部材４ａとバックレスト部材４ｂに装着されたガイドロッド６ａに装着されている。調節のために、一点鎖線で概略的に図解された第１調節モータＭ１が備わっている。この第１調節モータＭ１は、好適には、ロッド状の構造体であり、一端がバックベース部材４ａに支持されており、他端がバックレスト部材４ｂにかみ合っている。調節モータＭ１をバックベース部材４ａおよびバックレスト部材４ｂに接続するために、これらの部材に締結されたベアリング部材Ｌ１，Ｌ２が備わっている。調節モータＭ１は、たとえば、回転運動を縦方向の動きに変換する伝達装置に連結された電動モータＥ１を有する。ここでは、好適にはスピンドル駆動が関連している。
【００１９】
キャリア１２は、第２の縦ガイド１１に設けられている。縦ガイド１１は、バックレスト４の縦方向を向いており、バックレスト部材４ｂ内に配置されており、第２の調節モータＭ２によって前後に移動可能となっている。キャリア１２は、好ましくは、バックレスト４のフラットな構造を確保するために、治療椅子１の垂直方向の中央平面を横断するように配置されたフラットなスライダーによって構成されている。第１調節モータＭ１は、キャリア１２の一方側に隣接して配置されている。一方、第２調節モータＭ２は、キャリア１２の他方側に隣接して配置されている。第２調節モータＭ２もロッド状あるいは伸長された構造体であり、好適には、回転運動を直線運動に変換する伝達装置Ｇ１によってキャリア１２に接続された電動モータＥ２を有する。変換伝達装置は、本実施形態においてもスピンドル駆動によって構成されている。スピンドルはＳ２で示されている。
【００２０】
キャリア１２のための縦ガイド１１は、フラットなガイドであり、たとえば、２本のロッド１１ａ，１１ｂによって形成されており、キャリア１２の隣に縦方向に配置されている。キャリア１２は、縦ガイド１１に保持され、キャリア１２の側方に取り付けられた走行スリーブ１１ｃ，１１ｄによってガイドされている。本実施形態では、第２調節モータＭ２の隣りに配置されたガイドロッド１１ｂはスピンドルＳ２として構成され、このスピンドルＳ２はスピンドルモータとして構成される走行スリーブ１１ｄとねじ結合している。調節モータＭ１，Ｍ２は、走行スリーブ１１ｃ，１１ｄの外部に配置されている。第２調節モータＭ２はスピンドルＳ２とベルトドライブＴＲ、特定的には、歯付きベルトドライブによって接続されている。
【００２１】
ヘッドサポート８は、調節またはセッティング装置１６によって治療椅子１の垂直縦方向の中央平面１８内で上下に移動可能となっている。
この目的のために、第１旋回装置１９が働く。第１旋回装置１９は、本実施形態では、２本のジョイントバー１９ａ，１９ｂを有する４本バーのリンク結合体または４本バーメカニズムで形成されている。ジョイントバー１９ａ，１９ｂは、４つのジョイント２１，２２，２３，２４によって一方がキャリア１２に接続され、他方がベースボディ９、あるいは、ベースボディ９の後ろ側から起立している継ぎ板９ａに接続されている。ジョイントバー１９ａ，１９ｂは、幅広のバーであり、たとえば、垂直縦方向の中央平面を横切って延びるジョイントバー１９ａ，１９ｂの寸法は、垂直縦方向の中央平面に沿って延びるこれらの厚さよりも大きい。この４本バーのリンク結合体を通じて、優れた安定性が達成される。しかしながら、このことは、縦方向の中央平面の両側に一対の４本バーのリンク結合体を配置することによっても達成される。ジョイントバー１９ａ，１９ｂは、キャリア１２の後方端部にフォーク状の方法で立設されている垂直ジョイント板９ｂの間に設けられている。キャリア１２上に配置されたベースジョイント２１，２２は、直線ｇ上に位置しており（図７，８）、直線ｇはキャリア１２に対して鋭角Ｗ１をなし、この角度はバック部材４に向かう方向に広がっている。この角度Ｗ１は約３０°から６０°であり、特定的には、約４０°である。
【００２２】
４本バーのリンク結合体は、上記したヘッドサポート８の各位置を特定の簡単な手段、すなわち、自動運動制御によって可能にする。このことは、バックレスト４に向かうジョイントバー１９ｂあるいは上側のジョイントバーの長さＬ３が他方の、あるいは、下側のジョイントバー１９ａの長さＬ４よりも大きいことにより達成される。
一方側のジョイント２１，２２と他方側のジョイント２３，２４との間の間隔Ｌ５，Ｌ６は略等しい。好適には、ジョイント２３，２４の間の間隔Ｌ６は、間隔Ｌ６よりも大きく、特定的には、図７に示す少なくとも子供用の初期姿勢において、１／３だけ大きい。本実施形態では、ジョイント２３は位置４１ｂに位置している。
【００２３】
セッティング装置１６は、４本バーのリンク結合体１９によって決定された旋回範囲内でヘッドサポート８を旋回させるための第３調節モータＭをもつモータドライブをさらに有している。この目的のために、キャリア１２の縦方向に延びるドライブロッド２６が備わっている。このドライブロッドは好適にはキャリア１２に一体化されており、特定的には、キャリア１２の小型化あるいは低い外形を確保するためにフラットなスライダーで構成されている。調節モータＭ３はキャリア１２の後方領域に配置され、キャリア１２上に設置される。好適には凹部１２ａ内に設置され、このキャリア１２の凹部１２ａ内に少なくとも部分的に沈み込むように配置される。また、第３の調節モータＭ３は、ロッド形状あるいは細長い構造を有し、好適には、電動モータＥ３をもち、伝達装置Ｇ３によって回転運動が直線運動へ変換される。伝達装置Ｇ３は、スピンドルドライブであり、スピンドルＳ３はモータ軸の延長部であり、この上でスピンドルナットＳｍがかみ合っている。スピンドルＳ３と電動モータＥ３との間には、カップリングＫが配置されている。スピンドルナットＳｍはドライブロッド２６の先端部に接続されており、ドライブロッド２６の後端部はジョイント２７によってジョイントまたは旋回ロッドに接続されている。このジョイントまたは旋回ロッドは、ジョイント２９によって２つのジョイントバー１９ａ，１９ｂの一方、好適には後側のジョイントバー１９ａに接続されている。ジョイント２９における接続のために、後側のジョイントバー１９ａ上に横アーム１９ｃが配置されており、この横アーム１９ｃは好適には他方のジョイントバー１９ｂに向かって立設している。旋回バー２８は、長さがジョイントバー１９ａ，１９ｂの長さよりも短く、特定的には半分以下であり、ジョイント２７，２９の間まで延びており、本実施形態では、ベースジョイント２１，２２の間に位置している。
【００２４】
全体が３２で示された、上記したドライブ装置は、ドライブロッド２６の適切な移動によって、図４に示す上側位置と、この上側位置よりも低い図５に示す中間位置と、図６に示す下側位置との間におけるヘッドサポート８の移動を可能にする。中間位置は、通常の位置であり、この位置ではヘッドサポートクッション３３のヘッドサポート面３３ａはバックレスト４に略平行に延びている、あるいは、わずかに、たとえば、１０°まで後方に傾いている。
【００２５】
図４に示す上側位置において、ヘッドサポート面３３ａは中間位置と実質的に同じ位置まで延びているが、バックパートクッション４ｃのバックサポート面４ｄに関しては、中間位置よりも大きな量で上方にオフセットしている。図６に示す下側位置では、ヘッドサポート面３３ａは相対的に大きく後方に傾斜している。この位置は、特に、上顎の治療に適しており、患者の頭部は相応して大きく傾斜する。上記の位置は、旋回装置１９の特定的な構成により自動的または強制的に取られる。さらに有利な点は、ドライブロッド２６の小さなストローク、本実施形態では約２０から２５ｍｍ程度のストロークで、上側位置と下側位置との間でヘッドサポート８を十分に調節することができることである。
【００２６】
また、ヘッドサポート８は姿勢を調節可能でかつ位置決め可能であり、この姿勢では、ヘッドサポート面３３ａあるいはそのシェルベースは、バックサポート面４４ａあるいはバックサポートクッション４ｃのシェルベースと整列する。この姿勢は、子供用の姿勢として、特に、ヘッドサポート８がバックレスト部材４ｂの自由端部における凹部３４内に位置する場合に都合がよい。この子供用の姿勢は、シート部材２からの間隔に関して、および、高さに関しての双方において都合の良い姿勢である。この姿勢において、ヘッドサポート面３３ａあるいはそのシェルベースは、バックサポート面４ｄあるいはバックレスト４のシェルベースの伸展部を構成し、これによって子供の頭部が都合良く支持される。シェル形状のベース内において、バックサポート面４ｄおよびヘッドサポート面３３ａは特にこれらの端部領域が互いに向かいあって実質的に直線状に延びている。
【００２７】
ヘッドサポート面３３ａは、直線状に延びており、ヘッドサポート８の長さの部分を越えるだけ延びる必要があり、一方、この直線状の延長部はバックレスト４に向かってヘッドサポート８の端部まで真っ直ぐに突き出る。バックレスト４から離れた領域では、ヘッドサポート面３３ａは横バルジ３５まで突き出している。この横バルジ３５は、ヘッドサポートクッション３３の一部である。
【００２８】
頭部の支持を改善する目的のために、ヘッドサポートボディにヘッドサポートクッションを取り付けて１８０°回転した複数の姿勢で選択的に使用できるようにするとさらに有利である。これによって、横バルジ３５がシート部材２に向かう端部領域に位置する姿勢、または、シート部材２から離れて位置する姿勢でヘッドサポートクッション３３を選択的に使用することが可能となる。第１の姿勢は、大人に適しており、横バルジ３５は好ましいネックサポートを構成する。第２の姿勢は、横バルジ３５がシート部材２から離れた端部に配置された場合であり、上述した理由により子供に非常に都合良く適している。このため、１８０°回転した各姿勢でヘッドサポートクッションの装着または取外しを、好適には、たとえば、クランプ装置またはラッチング装置のようなクイック−ファスニング接続によって行うことができるように、ヘッドサポートクッションとヘッドサポートボディとの間のアッタチメントを構成すると都合がよい。ヘッドサポートクッション３３が十分にしっかりと装着された姿勢に保持されるが、手動で素早く適用できる引張る等の力の適用によってアタッチメント装置から解放できるようにこれらの装置を構成すると有利である。これによって、クランピングまたはラッチングは手動で外れる。図８に、アッタチメント装置が概略的に図解されている。アッタチメント装置は、接続ピン３６の一またはそれ以上のペアによって形成されている。この接続ピン３６は一の接続部材に配置されており、各ケースの他の接続部材に設けられたピンホール３７にクランピングまたはラッチングによってかみ合っている。この接続は手の力で解放でき、外すことができる。少なくとも一つの接続ピン３６およびピンホール３７は、それらが１８０°回転したヘッドサポートクッション３３の各姿勢に適合するように構成される。
【００２９】
頭部の支持を改善するために、横バルジ３５の中間姿勢において樋(trough)あるいはシェル(shell) 状のサポート面３３ｂを形成することも、特に、首部のサイドサポートを改善するのに有利である。
【００３０】
本実施形態では、治療椅子１に特別のあるいは付加されたセッティング装置４１、特定的には、第２旋回装置４１ａが備わっており、操作する者によるセッティング装置の操作によってヘッドサポート８は子供用の姿勢に位置決めされ、この姿勢に固定される。本実施形態には、セッティング装置がヘッドサポート８を旋回させる駆動装置３２から独立し、好適には、手動調節できる構成が含まれる。第２旋回装置４１は、ヘッドサポート８を旋回し、子供用の姿勢に位置決めする旋回ジョイントを有する。ジョイントバー１９ａ，１９ｂをヘッドサポート８に接続する２つのジョイント２３，２４の一つが旋回ジョイントとして働く。本実施形態では、ジョイントバー１９ｂの上側旋回ジョイント２４がこれのために備わっている。第２旋回装置４１ａは各旋回位置をロックするためのロッキング装置４２と関連付けられている。ロッキング装置４２は、２つのジョイント２３、２４の他方、ここではジョイント２３に自由路をもつ。これによって、第２旋回装置４１ａは選択的にリリースあるいはブロックされる。自由路は長穴４３によって形成されており、一方のジョイント部材、ここでは、ジョイントバー１９ａにおいて一方のジョイント２４ａの周りで湾曲している。結合ジョイントボルト２３ａはロッキングのために働き、このジョイントボルトは２つのジョイント部材を互いにロックする。構造の簡素化のために、第２旋回装置４１ａは旋回端部位置でのみロック可能である。この目的のために、長穴４３の両端部で長穴拡張部４３ａ，４３ｂが備わっており、これに軸方向に移動可能なジョイントボルト２３ａが導かれ、長穴拡大部４３ａ，４３ｂの間で延びる少なくとも一つのテーパウェブ４３ｃによって形状ロックされる。本実施形態では、ジョイントボルト２３ａは、駆動ヘッド部が長穴４３を貫通しており、逃げみぞ切り２３ｂによって形成されたボルト厚肉部２３ｃをもつジョイントボルト２３ａが各々の関連する縦穴拡大部４３ａ，４３ｂから手動で軸方向にボルト逃げみぞ切り２３ｂがテーパウェブ２３ｃと整列する位置へ移動するとき、駆動ヘッド部の適切な逃げみぞ切り２３ｂによって縦穴４３における移動しやすさが確保される。ボルト厚肉部２３ｃは、スプリング４４の作用の下で、旋回端部位置において自動的に縦穴拡大部４３ａ，４３ｂの中へラッチする。ジョイントボルト２３ａとジョイント部材の一つとの間の軸方向の動きの規制によって、このラッチ位置が固定される。スプリング４４は、好適には、圧縮ばねであり、この圧縮ばねは、幅広のバーとしてのジョイントバー１９ａ，１９ｂの現在の構成とともに、２つのジョイントウェブ１９ｃを貫通するジョイントボルト２３ａに設けられている。ジョイントボルト２３ａは、ジョイントウェブ１９ｃの突き出した端部の間にあり、ばねはジョイントボルト２３ａの肩部表面に対して作用する。
【００３１】
図４から図６あるいは図７に図解されたヘッドサポート８の各姿勢を達成するために、上側ジョイントバー１９ｂまたはバックレスト４に向かうジョイントバーの長さＬ３は、他方のジョイントバー１９ａの長さＬ４よりも大きく、少なくとも図７に示す子供用の初期姿勢においては、ジョイントボルト２３ａは位置４１ｂに位置している。
【００３２】
構造上の目的および／またはアクセサビリティの改善に対する利用可能なさらなる空間を確保するために、ロッキング装置４２はジョイントバー１９ａ上で外側にオフセットしており、これとアウターリム１９ｄとの間に配置されている。長穴４３もアウターリム１９ｄに位置している。ジョイントボルト２３ａは、相応して延長されており、ばね４４は、アウターリム１９ｄおよび隣接するジョイントウェブ１９ｃの間に配置されている。
【００３３】
付加した調節装置４１が各旋回端部位置においてのみロック可能である場合に、ヘッドサポート８あるいは旋回装置１９が子供用の姿勢に調節される前に、図７に示す特定の子供用の初期姿勢に位置していることは意味がある。この初期姿勢では、本実施形態のジョイントボルト２３ａは下側の旋回端部位置４１ｂに位置している。この子供用の初期姿勢は、子供用の初期姿勢から上側旋回終端位置４３ｂである子供用の姿勢へのヘッドサポート８の旋回によって、さらに調節すること無くヘッドサポートは正しい姿勢に配置され、また、ジョイントボルト２３の背後のばねによって自動的にラッチされる。子供用の初期姿勢では、ジョイント２３は旋回終端位置に配置され、この位置では、ヘッドサポート面３３ａは１８０°以上の上方に開いた角度のバックサポート面４ｄを含んでいる。
【００３４】
ヘッドサポート８は、両矢印Ｆ１〜Ｆ４によって示される４自由度を有している。
第１の自由度Ｆ１（図２）において、ヘッドサポート８はバックレスト４とともに縦方向に関して前後に移動可能となっている。これは、様々なサイズの患者へ適合させるためである（基本的な距離の設定）。この目的のために、第１駆動装置４５が調節モータＭ１とともに働く。
【００３５】
第２の自由度Ｆ２において、ヘッドサポート８はバックレスト４に相対する縦方向に、たとえば、約１５０ｍｍから２５０ｍｍの距離（特定的には約２００ｍｍ）だけ選択的に前後に調節可能である。これは、患者の頭部を背部に関連して適合させるためである。この目的のために、第２の駆動装置４６が調節モータＭ２とともに働く。
【００３６】
第３の自由度Ｆ３において、ヘッドサポート８は図４に示した最上部姿勢と図６に示した最下部姿勢の間でセッティング装置１６によって調節可能である。この目的のために、第３の駆動装置３２が調節モータＭ３とともに働く。
【００３７】
第４の自由度Ｆ４において、ヘッドサポート８は子供用の初期姿勢と子供用の姿勢との間で調節可能であり、特に、それらの間で旋回可能である。この目的のために、本実施形態では、付加した調節装置４１とともにヘッドサポート８が手動で調節可能である。
【００３８】
図４に示した最上部姿勢において、ドライブバー２６は完全に後退した位置にある。図４に示す後退位置と図６に示す伸長位置との間のドライブバーのストローク距離は、約１５ｍｍから２５ｍｍであり、特定的には、２１ｍｍである。図６に示す最下部では、ドライブバー２６は完全に伸長している。図５に示した中間姿勢では、ドライブバー２６は中間位置に位置しており、この位置は、たとえば、約１１ｍｍ伸びている。子供用の初期姿勢では、ドライブバーは第２の中間位置にあり、これは図５に示した第１の中間位置と図６に示した十分に伸長した位置の間に位置し、たとえば、約１７ｍｍ伸びている。しかしながら、本発明の範囲内では、ヘッドサポートの調節は、子供用の初期姿勢が図５、図６または図４に示した位置に対応するように構成されることも可能である。したがって、子供用の初期姿勢は、大人用のヘッドサポートの姿勢であってもよい。
【００３９】
存在するが図解されていないコントロール装置は、ヘッドサポート８がセッティング装置４５，４６のそれぞれ個々を用いて、あるいは、少なくともセッティング装置４６を選択的に共通に用いて調節可能なように、操作者によって設定可能である。この目的のためにプログラムコントロールを働かせることが可能であり、好適には、操作者によってプログラム可能であり、その結果、図４から図６に示すヘッドサポートの姿勢は自動的に設定され、好適には記憶もされる。第３のセッティング装置３２に関する、好適にはさらに第２のセッティング装置４６（調節モータＭ２）に関する子供用の初期姿勢は、好適には、永久的に記憶される。
【００４０】
人体または動物の体を治療することが治療椅子１に関する操作する者の主な仕事である。この目的に必要な注意のレベルから操作する者をできるだけそらさせないためには、単純で迅速な操作が望まれる。
図１１および図１２に係る実施形態では、単一のスイッチング部材５２を有するスイッチング装置５１が備わっており、このスイッチング部材５２は操作する手の指、特定的には、関連する指の圧力の作用によって駆動することができる。スイッチング装置５１は、操作する者によって迅速に達することができる位置であって、好適には、ヘッドサポート８に備わっている。好都合な配置が、ヘッドサポート８の下側面、好適には、その後方領域によって提供されている。図８に示す構成では、スイッチング装置５１はヘッドサポートカバー５３の外側に後方および下側からアクセス可能に配置されており、このヘッドサポートカバーは、たとえば、たとえば、傾斜して伸びている。これにより、スイッチング装置５１またはスイッチング部材５２に関する人間工学的に好ましい姿勢が提供される。
【００４１】
スイッチング部材５２は、取付部５４からピン状に起立しており、この取付部５４は、たとえば、ベース部材５６における丸穴５５によって形成されており、このベース部材５６はここでは覆い５３である。したがって、スイッチング部材５２は、ベース部材５６のベース面５６ａからピン状に起立している。
【００４２】
スイッチング部材５２は、ジョイスチックの意味において、一以上のサイド、ここでは４つの相対するサイドから動作可能である。この動作領域において、スイッチング部材５２は、たとえば、四辺形の横断面の形状からなるスイッチングピンの形状を有しており、これによって、互いに対向配置された４つの動作面Ｂ１，Ｂ２，Ｂ３，Ｂ４は、たとえば、角錐台の意味でスイッチング部材５２の自由端に向かって先細りとなっている。取付部５４では、動作面Ｂ１〜Ｂ４は、厚肉化されたスイッチング部材の足５８の肩部面５６ａの中へ移動可能である。足５８は横断的に起立しておりベース面５６ａの高さで終端している。厚肉化されたスイッチング部材の足５８は取付部５４に座している。
【００４３】
ガイドトポグラフィー６１は、各動作面Ｂ１〜Ｂ４と関連付けられており、各動作面Ｂ１〜Ｂ４から横方向に起立しており、このトポグラフィーは操作手の関連する指のためのガイド面６１ａを構成している。ガイドトポグラフィー６１、あるいは、ガイド面６１ａは、指をその動きに関して、これに向かう関連する動作面に向ける。触感によって認識されるこの動きの補助により、操作者は関連する動作面に案内される。本実施形態では、ガイドトポグラフィー６１は各ケースにおいて案内溝６２によって構成される。この案内溝６２は、関連する動作面に向かう方向において見ると、凹状、特定的には、丸く形成されている。案内溝は真っ直ぐに伸びている、あるいは、スイッチング部材５２に向かう方向に凹状に湾曲していてもよく、したがって、樋状に形成されている。ガイドトポグラフィー６１はベース部材５６上の外側面に配置されており、スイッチング部材５２はこのベース部材５６から起立している。ガイドトポグラフィー６１あるいはガイド面６１ａは、スイッチング部材５２の中央軸との間で鋭角Ｗ２を有しており、関連する動作面Ｂ１，Ｂ２，Ｂ３，Ｂ４の足の端部まで伸びている。これにより、ベース部材５６上の他の外側面５６ｂに関して、さらに深く横たわる、あるいは、少なくとも部分的に沈むスイッチング部材５２の配置が備わっている。これによって、小さな構造が達成されるだけでなく、スイッチング部材５２は意図しない動作からも大きく保護される。本実施形態では、すべての４つのガイドトポグラフィー６１は、同一に形成される、あるいは、互いの鏡像として形成される。これらは、参照符号６３で指定された位置において互いの側へ移動可能であり、スイッチング部材５２の周りで伸びるベース部材５６において共通の降下を構成することができる。
【００４４】
スイッチング部材５２の動作のためには、操作者は指を関連するガイドトポグラフィー６１へ動かすだけでよい。このガイドトポグラフィー６１はスイッチング部材５２に関して拡張されている。ガイドトポグラフィー６１の溝形状および内側に傾斜した配置により、動作する指は自動的に動作面へ案内される。これは、すべての動作面Ｂ１〜Ｂ４に適用される。これにより、簡単、迅速および信頼性のあるスイッチング部材５２の動作が確保される。好適には、スイッチング部材５２は、その自由端面への指の圧力の作用により、付加的に作動可能であり制御装置のためのスイッチング機能を実行する。したがって、スイッチング部材５２は第５の動作面Ｂ５をその端面に有しており、これの手動による位置決めに対してガイドトポグラフィー６１も貢献する。加えて、スイッチング部材５２および関連するスイッチング装置は、動作面Ｂ５の２重の作動により、パーソナルコンピュータのダブルクリックの意味において、さらなるスイッチング手順が開始されるように構成されている。
【００４５】
スイッチング装置５１の構成は、それ自体に発明の意義がある。特に、歯科医療装置、特定的には、治療椅子１に適している。
以下、有利なスイッチング装置５１の例を記述する。
本発明の範囲内では、治療椅子１あるいは関連する制御装置は、シート部材２、バックレスト４あるいはヘッドサポート５の個々のセッティング姿勢がスイッチング部材の作動によって手動または自動で選択され、プログラムされ、あるいは、プログラム可能なように構成できる。
本実施形態に関して、動作面Ｂ１，Ｂ３の一方または他方の方向における水平動作により、ヘッドサポート８の傾斜は矢印Ｎ１，Ｎ２で示す横方向に対応して設定され、調節モータＭ３は適切な動作方向へ作動する。
【００４６】
バックレスト４に対するヘッドサポート８の高さまたは間隔は自動的あるいは動作面Ｂ２，Ｂ４の垂直動作により設定され、調節モータＭ１および／またはＭ２は適切な動作方向へ作動する。すなわち、スイッチング部材５２の上方および下方に矢印Ｈ１，Ｈ２によって示されるように、ヘッドサポート８は上昇または下降する。
ここでは、調節モータＭ２，Ｍ３の共通の（補償された）作動は、動作面Ｂ５の単一の動作によって作動あるいは停止される特別な機能である。この特別な機能の作動に関して、調節モータＭ２，Ｍ３の両方が作動あるいは停止され、好適には高さ調節は、傾斜調節に依存して補償され、その結果、人体解剖学的な移動パターンが確保される。機能的な姿勢”補償オフ”においては、調節モータＭ２，Ｍ３は互いに独立して作動または停止される。
【００４７】
機能的な姿勢”補償オフ”においては、ヘッドサポートキャリア１２（Ｍ２）は最下部姿勢へ移動し、ヘッドサポート８（Ｍ３）は図５に示す中間姿勢へ移動する。これは、調節モータＭ３の中間の調節経路に対応している。
新たな補償の作動または子供用の姿勢から子供用の初期姿勢へのヘッドサポート８の復帰に関して、ヘッドサポートキャリア１２（Ｍ２）およびヘッドサポート８（Ｍ３）は常に図５に示した中間姿勢に移動する。このことは、次の患者に対するヘッドサポート８の新たな調節において、再び利用できる調節可能な自由度を持つうえで、有利である。
【００４８】
治療椅子１の作動または起動において、モータＭ２，Ｍ３の補償は、原則的に起動される。
【００４９】
第２の特別な機能は、動作面Ｂ５の２重の発動（ダブルクリック）によって達成される。本実施形態では、この発動は調節モータＭ１および／またはＭ２および／またはＭ３を作動させ、バックレスト４およびヘッドサポートキャリア１２が後退した、図７に示すヘッドサポート８を子供用の初期姿勢へ移動させる。
この子供用の初期姿勢から、ヘッドサポート８は手動で図８または図９に示す子供用姿勢へ調節される。
ヘッドサポートに関して、セッティング装置４１の領域にセンサー５９が設けられており、子供用の姿勢において調節モータＭ３が作動するのを防ぐ目的で、子供用の姿勢への動きを検出し、信号を制御装置へ送る。センサー５９は、信号の適切な発生によって、ヘッドサポート８を図８に示した子供用の姿勢から図７に示した子供用の初期姿勢へ手動により復帰させる際に、ヘッドサポート８を図５に示す標準的な初期姿勢へ自動的に移動させる目的をも果たす。
センサー５９は、ジョイントボルト２３ａの領域、たとえば、ジョイントバー１９ａあるいはジョイントウェブ１９ｃ，１９ｄに配置されたスイッチ５９ａによって構成され、このスイッチはスイッチング要素５９ｂによって作動可能であり、このスイッチング要素５９ｂは直接的あるいは間接的にジョイントボルト２３ａ、たとえば、図１０に概略的に図解されたスイッチングリングに配置されている。これにより、調節モータＭ３の作動は防止され、あるいは、この姿勢を検出するセンサー５９の信号によって子供用の姿勢にブロックされる。ヘッドサポート８を子供用の姿勢から子供用の初期姿勢へ手動により復帰させる際に、ヘッドサポート８は図５に示した中間位置へ自動的に移動する。このことは、調節モータＭ１あるいはＭ２およびＭ３のシーケンシャルな作動によって発生し、あるいは、モータＭ２および／またはＭ３の共通の（補償された）作動に基づいて発生する。
【００５０】
以下に、治療椅子１の着席／離席姿勢から、大人の治療のため、および、子供の治療のためのヘッドサポート８のセッティングに関する方法を記述する。
【００５１】
大人の治療
治療椅子１は、前回の患者のパラメータをもつ着席／離席姿勢に位置している。
治療椅子１上の患者の位置決めの後、治療を実行する人間は、必要であれば、前回の患者の異なる人体に対して、調節モータＭ１とＭ２の作動により最初にバックレスト４の高さを調節し、その後にヘッドサポート８の高さを調節する。これによって、患者の記憶された所望のパラメータにしたがって、手動または自動で制御が作動する。本実施形態の横バルジ３５の場合には、ヘッドサポート８は横バルジ３５が患者の首部を支えるように設定される。この位置のデータは。各患者について記憶される。設定は、作動要素に対応する作動部材５２および／または制御部材に基づいて、手動で実行あるいは開始される。
【００５２】
その後、たとえば、上顎または下顎の治療のために、治療椅子１の最終的な治療姿勢がバックレスト４の傾斜および／またはシート部材２の高さの設定によって設定される。
治療後、治療椅子１は、関連するモータの作動によって、たとえば、制御部材上の関連する制御部材あるいは特別な制御部材が作動し、それの着席／離席姿勢へ移動する。
【００５３】
子供の治療
治療椅子１上の患者の位置決めの前または後に、ヘッドサポート８は、スイッチング部材５２の手動動作および調節モータＭ２およびＭ３の作動により直接的に図８に示した子供用の姿勢あるいは図７（本実施形態）に示した子供用の姿勢へ移動し、そこでヘッドサポート８は特定の旋回姿勢をとり、バックレスト４に向かって移動する。ここで、調節モータＭ３が最初に作動し、それから調節モータＭ２が作動する。あるいは、調節モータＭ２が最初に作動し、それから調節モータＭ３が作動する。好適には前者であり、ヘッドサポートクッション３３は上述したように回転する。それから、ヘッドサポート８は手動で旋回され、図８に示した子供用の姿勢に位置決めされる。患者（子供）の位置決めの後、バックレスト４は、必要な場合には、シート部材２に対して押し込まれる。これの前あるいは後に、適切な場合には、治療椅子１の治療姿勢（上記した上顎または下顎の治療）のセッティングもなされ、それから治療が続く。治療の後には、治療椅子は、子供が椅子から離れるための着席／離席姿勢に移動する。
【００５４】
子供用の姿勢における調節モータＭ３による傾斜調節は、制御によってブロックされる。調節モータＭ２による高さ１調節が可能である。
子供の治療の後、あるいは大人の治療の前に、ヘッドサポート８は、少なくとも自動または一部が自動の制御により、本実施形態の場合にもまた、図５に示した標準的な初期姿勢に旋回して戻る。このことは、ヘッドサポート８のすべての旋回調節に適用される。標準的な初期姿勢は、すなわち、原点姿勢(orientation position)と呼ばれ、この姿勢から制御装置は動作制御に関して自身の位置を認識する。
本実施形態では、ヘッドサポート８は、子供用の姿勢から子供用の初期姿勢へ手動で旋回する。標準的な初期姿勢への旋回は、たとえば、センサー５９による信号の発行後に、自動制御によって行われる。
【図面の簡単な説明】
【００５５】
【図１】本発明に係る治療椅子の側方からの斜視図である。
【図２】オ−プンバックレストをもつヘッドサポートキャリアのための装備およびガイドを示す斜視図である。
【図３】キャリアを有するヘッドサポートの垂直縦断面を示す斜視図である。
【図４】キャリアを有する最も高い位置にあるヘッドサポートを示す図である。
【図５】キャリアを有する中間位置にあるヘッドサポートを示す図である。
【図６】キャリアを有する最も低い位置にあるヘッドサポートを示す図である。
【図７】キャリアを有する初期の子供用の姿勢にあるヘッドサポートを示す図である。
【図８】キャリアを有する子供用の姿勢にあるヘッドサポートを示す図である。
【図９】図８に示すヘッドサポート装備の詳細を示す拡大斜視図である。
【図１０】図９のＸで示される部分の詳細を示す部分断面図である。
【図１１】治療椅子をセッティングするためのスイッチング要素を図８の矢印Ｙに示す下方から見た図である。
【図１２】図１１におけるＸＩＩ−ＸＩＩ断面図である。
【符号の説明】
【００５６】
２…シート部材
４…バック部材
４ｃ…バックレストクッション
８…ヘッドサポート
９…ベースボディ
１１…縦ガイド
１２…ヘッドサポートキャリア
１６…調節装置
１９…第１の旋回装置
１９ａ，１９ｂ…ジョイントバー
２１，２２，２３，２４…ジョイント
２３ａ…ジョイントボルト
３３…ヘッドサポートクッション
３５…横バルジ
４１ａ…第２の旋回装置
４２…ロッキング装置
４３…長穴
４４…ばね
４６…キャリアセッティング装置
【図１】
2004526503.tif 000003
【図２】
2004526503.tif 000004
【図３】
2004526503.tif 000005
【図４】
2004526503.tif 000006
【図５】
2004526503.tif 000007
【図６】
2004526503.tif 000008
【図７】
2004526503.tif 000009
【図８】
2004526503.tif 000010
【図９】
2004526503.tif 000011
【図１０】
2004526503.tif 000012
【図１１】
2004526503.tif 000013
【図１２】
2004526503.tif 000014
【国際公開パンフレット】
2004526503.tif 000015
2004526503.tif 000016
2004526503.tif 000017
2004526503.tif 000018
2004526503.tif 000019
2004526503.tif 000020
2004526503.tif 000021
2004526503.tif 000022
2004526503.tif 000023
2004526503.tif 000024
2004526503.tif 000025
2004526503.tif 000026
2004526503.tif 000027
2004526503.tif 000028
2004526503.tif 000029
2004526503.tif 000030
2004526503.tif 000031
2004526503.tif 000032
2004526503.tif 000033
2004526503.tif 000034
2004526503.tif 000035
2004526503.tif 000036
2004526503.tif 000037
2004526503.tif 000038
2004526503.tif 000039
2004526503.tif 000040
2004526503.tif 000041
2004526503.tif 000042
2004526503.tif 000043
2004526503.tif 000044
2004526503.tif 000045
2004526503.tif 000046
2004526503.tif 000047
【国際公開パンフレット（コレクトバージョン）】
2004526503.tif 000048
2004526503.tif 000049
【国際調査報告】
2004526503.tif 000050
2004526503.tif 000051
2004526503.tif 000052
2004526503.tif 000053
2004526503.tif 000054
2004526503.tif 000055
2004526503.tif 000056
2004526503.tif 000057